(57)【要約】【課題】装置構成をより小型化でき且つ運転管理が一層容易であって、しかも、マイナスイオンを効率的に発生させることが出来かつマイナスイオンの効果を十分に発揮させることが出来る浴室用マイナスイオン発生装置を提供する。【解決手段】浴室用マイナスイオン発生装置は、壁または天井（９）に取り付けられるベース部材（１）と、当該ベース部材の背面側に配置されたマイナスイオン発生ユニット（３）と、ベース部材（１）の表面側に配置されたファン（５）と、ベース部材（１）の表面側にファン（５）を覆う状態で付設されたカバー（６）と、電子を放射する針状放電電極（７）とを備えている。そして、マイナスイオン発生ユニット（３）は、ベース部材（１）によって浴室側から仕切られ且つ保護カバー（４）によって被覆されている。【選択図】        図１
2004309047.tif 000002
【特許請求の範囲】
【請求項１】
浴室の壁または天井に設置されるマイナスイオン発生装置であって、壁または天井（９）に取り付けられるベース部材（１）と、当該ベース部材の背面側に配置されたマイナスイオン発生ユニット（３）と、ベース部材（１）の表面側に配置されたファン（５）と、吸気口（６１）及び吹出口（６２）を有し且つベース部材（１）の表面側にファン（５）を覆う状態で付設されたカバー（６）と、マイナスイオン発生ユニット（３）により負極電圧が印加されて電子を放射する針状放電電極（７）とを備え、かつ、マイナスイオン発生ユニット（３）は、ベース部材（１）によって浴室側から仕切られ且つベース部材（１）の背面側において保護カバー（４）によって被覆されていることを特徴とする浴室用マイナスイオン発生装置。
【請求項２】
針状放電電極（７）は、その先端がカバー（６）の吹出口（６２）に略達する様に、マイナスイオン発生ユニット（３）からベース部材（１）を貫通してファン（５）の下流側まで伸長されている請求項１に記載の浴室用マイナスイオン発生装置。
【発明の詳細な説明】
【０００１】
【発明の属する技術分野】
本発明は、浴室用マイナスイオン発生装置に関するものであり、詳しくは、簡単な装置構造でマイナスイオンを効率的に発生させることが出来、しかも、マイナスイオンの効用を十分に発揮させることが出来る浴室用マイナスイオン発生装置に関するものである。
【０００２】
【従来の技術】
昨今、体内の活性酸素を低減させたり、アレルギー反応を抑制すると言った健康上の目的から、人工的にマイナスイオンを発生させるマイナスイオン発生装置が種々提案されている。マイナスイオン発生装置は、負極の高電圧を先鋭な金属片などに印加し、その先端から電子を放射して周辺の原子をイオン化する装置であり、斯かるマイナスイオン発生装置としては、例えば、超音波振動などにより水のミストを生成する加湿器に組み合わせ、放出するミスト中の水分子を帯電させるものが知られている（特許文献１参照）。
【０００３】
【特許文献１】
特開２０００−３５６３７２号公報
【０００４】
【発明が解決しようとする課題】
ところで、上記のマイナスイオン発生装置は、所謂レナード効果が得られると言う観点から水のミストを利用する様になされているが、ミスト化するための水を常に容器に蓄えなければならないため、装置が小型化できず、しかも、容器への水の供給に手間を要する。
【０００５】
また、マイナスイオンの人体への効果は、主に素肌をマイナスイオンに晒すことによってより多く得られることが知られているが、通常の居室においては、発生させたミストが室内の空気中に水蒸気として直ちに拡散、消失し、しかも、着衣によりマイナスイオンが肌に接することが少ないため、実際、マイナスイオンの効用を十分に享受できないと言う問題もある。
【０００６】
本発明は、上記の実情に鑑みてなされたものであり、その目的は、装置構成をより小型化でき且つ運転管理が一層容易であって、しかも、マイナスイオンを効率的に発生させることが出来かつマイナスイオンの効果を十分に発揮させることが出来るマイナスイオン発生装置を提供することにある。
【０００７】
【課題を解決するための手段】
本発明者等は、上記の課題を解決すべく種々検討した結果、浴室において無声放電によりマイナスイオンを発生させるならば、浴室内の空気中の水のミストや水蒸気をマイナスイオンの生成種として直接利用でき、しかも、マイナスイオンの効果をより一層享受できることを見出し、本発明を完成した。
【０００８】
すなわち、本発明の要旨は、浴室の壁または天井に設置されるマイナスイオン発生装置であって、壁または天井に取り付けられるベース部材と、当該ベース部材の背面側に配置されたマイナスイオン発生ユニットと、前記ベース部材の表面側に配置されたファンと、吸気口および吹出口を有し且つ前記ベース部材の表面側に前記ファンを覆う状態で付設されたカバーと、前記マイナスイオン発生ユニットにより負極電圧が印加されて電子を放射する針状放電電極とを備え、かつ、前記マイナスイオン発生ユニットは、前記ベース部材によって浴室側から仕切られ且つ前記ベース部材の背面側において保護カバーによって被覆されていることを特徴とする浴室用マイナスイオン発生装置に存する。
【０００９】
【発明の実施の形態】
本発明に係る浴室用マイナスイオン発生装置の一実施形態を図面に基づいて説明する。図１は、本発明に係る浴室用マイナスイオン発生装置の主要部の外観を展開して示す斜視図である。図２は、本発明に係る浴室用マイナスイオン発生装置の内部構造を示す縦断面図である。図３は、ベース部材の背面側に配置されたマイナスイオン発生ユニットを示す背面側から見た斜視図である。以下、実施形態の説明においては、浴室用マイナスイオン発生装置を「マイナスイオン発生装置」と略記する。
【００１０】
本発明のマイナスイオン発生装置は、浴室の壁または天井に設置される電子放射式のマイナスイオン発生装置である。本発明において、浴室とは、浴槽やシャワーの設置されたいわゆる浴室、シャワールームの他、これらに隣接する脱衣室、および、サウナルームやこれに隣接する脱衣室を言う。本発明のマイナスイオン発生装置は、図１に示す様に、主に、ベース部材（１）、マイナスイオン発生ユニット（３）、ファン（５）、カバー（６）及び針状放電電極（７）によって構成される。
【００１１】
上記のベース部材（１）は、図１及び図２に示す様に、各部材を配置するためのフレームであり、かつ、浴室の室内側からマイナスイオン発生ユニット（３）を隔離するための仕切材としての機能を有する。ベース部材（１）は、例えば、平面形状が略正方形で且つ前面側（天井に取り付ける場合は下面側）が開放された略直方体の箱状に形成され、ベース部材（１）の前端側の外周部には、壁面または天井面（９）（図３参照）に取り付けるための鍔部（１ｃ）が設けられる。
【００１２】
マイナスイオン発生ユニット（３）は、図２及び図３に示す様に、浴室側の湿潤な空気との接触を防止するため、ベース部材（１）の背面側に配置される。本発明のマイナスイオン発生装置は電子放射式の装置であり、マイナスイオン発生ユニット（３）は、１００〜１１０Ｖの電圧で供給される家庭用の交流電力を例えば９〜１３Ｖ程度の直流電力に変換する電源回路（３１）と、２〜３ｋＶ程度の高電圧を発生させて針状放電電極（７）に負極の電圧を印加する制御回路（３２）とから構成される。
【００１３】
上記の制御回路（３２）は、例えば、直流電力より高電圧回路を作動させるための信号を発生させる発振制御回路、発振信号を増幅し高電圧化する高電圧発生回路、および、交流の高電圧より負極電圧を取り出す整流回路によって構成される。上記のマイナスイオン発生ユニット（３）により、針状放電電極（７）にマイナスの高電圧を印加し、針状放電電極（７）の先端から電子を放射して空気中の各元素および水分（水）をイオン化することが出来る。なお、図中の符号（３３）は端子台を示す。
【００１４】
ファン（５）は、針状放電電極（７）の周囲に湿潤な空気を供給し且つ生成したマイナスイオンを前方（室内側）へ送り出すためのものであり、図１及び図２に示す様に、ベース部材（１）の表面側に配置される。ファン（５）としては、例えば防滴型の小型軸流ファンが使用される。ファン（５）は、その背面側から空気を吸引するため、図２に示す様に、ベース部材（１）に対し、当該ベース部材の箱状部分の内側底面部に突設された脚（１５）により、前記の箱状部分の底面部から所定距離だけ離間した状態に取り付けられる。すなわち、ファン（５）は、ベース部材（１）の内側にいわゆる浮かせた状態で取り付けられる。
【００１５】
カバー（６）は、図１及び図２に示す様に、ベース部材（１）の表面側にファン（５）を覆う状態で付設される。カバー（６）は、ベース部材（１）の鍔部（１ｃ）の外周縁に嵌合する様に平面形状を略正方形に形成され、側面形状を半ドーム状に形成される。図１に示す様に、カバー（６）の外周部には例えば４つの吸気口（６１）が設けられ、カバー（６）の中央部には吹出口（６２）が設けられる。吹出口（６２）は、幾つかのリブで複数の区画に分割されており、前記のリブにより後述する針状放電電極（７）の先端を保護する様になされている。また、図２に示す様に、カバー（６）の中央には、ＬＥＤ等から成る運転表示灯（８）が付設されていてもよい。なお、図示しないが、カバー（６）は、ベース部材（１）に対し、蝶番やヒンジにより開閉可能に取り付けられていてもよい。
【００１６】
針状放電電極（７）は、マイナスイオン発生ユニット（３）により負極電圧が印加されることによって電子を放射する電極である。針状放電電極（７）は、通常、タングステン等の硬質材料によって構成される。図１及び図２に示す様に、針状放電電極（７）は、マイナスイオン発生ユニット（３）の制御回路（３２）に電気的に接続され、そして、針状放電電極（７）の先端は、放射した電子やその周囲で発生したマイナスイオンが部材との接触によって消失するのを防止するため、カバー（６）の吹出口（６２）まで伸長される。すなわち、図２に示す様に、針状放電電極（７）は、その先端がカバー（６）の吹出口（６２）に略達する様に、マイナスイオン発生ユニット（３）からベース部材（１）を貫通してファン（５）の下流側まで伸長される。
【００１７】
本発明においては、浴室に設置した場合のマイナスイオン発生ユニット（３）の湿潤化および塵埃の付着を防止するため、図２に示す様に、マイナスイオン発生ユニット（３）は、ベース部材（１）によって浴室側から仕切られ、しかも、ベース部材（１）の背面側において保護カバー（４）によって被覆される。換言すれば、保護カバー（４）は、端子台（３３）の一部を除くマイナスイオン発生ユニット（３）の全体を遮蔽する状態にベース部材（１）の背面側に取り付けられる。また、保護カバー（４）は、マイナスイオン発生ユニット（３）の電気的な接地を行うため、通常、導電性の良好なアルミニウム合金や鋼などの金属によって構成される。上記の様な防湿・防塵構造により、マイナスイオン発生ユニット（３）の故障を防止することが出来る。
【００１８】
本発明のマイナスイオン発生装置は、図２に示す様に、例えば浴室の天井（９）に取り付けられる。天井（９）への取付においては、先ず、天井（９）に略正方形の開口を設けた後、鍔部（１ｃ）を除くベース部材（１）の箱状部分を背面側のマイナスイオン発生ユニット（３）と共に前記の開口へ収め、次いで、天井（９）の表面に当接させたベース部材（１）の鍔部（１ｃ）をねじ（９１）で天井（９）に固定し、そして、表側にカバー（６）を装着する。なお、ベース部材（１）を固定する際には、天井裏への湿気の回り込みを防止するため、鍔部（１ｃ）の裏面と天井（９）の表面との間にシール材（２）を介装する。
【００１９】
本発明のマイナスイオン発生装置を作動させた場合、ファン（５）は、カバー（６）の吸気口（６１）を通じて吸引した空気を吹出口（６２）から浴室内へ送気する。一方、針状放電電極（７）は、マイナスイオン発生ユニット（３）によって負極電圧が印加されることにより、当該針状放電電極の先端からその周囲に電子を放射し、吹出口（６２）から排出される空気中の酸素や水分をイオン化する。その場合、針状放電電極（７）の先端がカバー（６）の吹出口（６２）に略達する様に伸長された構造は、放射する電子ならびに発生するマイナスイオンがカバー（６）等の部材へ接触して消失するのを低減することが出来る。そして、本発明のマイナスイオン発生装置において、マイナスイオン発生ユニット（３）がベース部材（１）によって浴室側から仕切られた防湿構造は、浴室の湿気によるマイナスイオン発生ユニット（３）の湿潤化を防止する。
【００２０】
換言すれば、本発明のマイナスイオン発生装置は、上記の様な防湿構造を備えているため、これを浴室内の天井（９）などに設置した場合、湿気によって故障することがなく、安定して稼働させることが出来、また、水を蓄えるための容器などがなく、浴室内の湿潤な空気を利用するため、装置構成をより小型化でき、運転管理が一層容易である。そして、浴室においてマイナスイオンを発生させるため、浴室の空気中に多量に含まれる水のミストや水蒸気を有効に利用し、より効率的にマイナスイオンを発生させることが出来る。しかも、浴室に設置されるため、マイナスイオンを直接素肌に作用させることが出来、マイナスイオンの効果を十分に発揮させることが出来る。
【００２１】
【発明の効果】
以上説明した様に、本発明の浴室用マイナスイオン発生装置によれば、マイナスイオン発生ユニットに対する特定の防湿構造を備えているため、湿気によって故障することがなく、安定して稼働させることが出来、また、浴室内の湿潤な空気を利用するため、装置構成をより小型化でき且つ運転管理が一層容易であり、しかも、浴室の空気中に多量に含まれる水のミストや水蒸気を有効に利用するため、より効率的にマイナスイオンを発生させることが出来、マイナスイオンの効果を十分に発揮させることが出来る。
【図面の簡単な説明】
【図１】本発明に係る浴室用マイナスイオン発生装置の主要部の外観を展開して示す斜視図である。
【図２】本発明に係る浴室用マイナスイオン発生装置の内部構造を示す縦断面図である。
【図３】ベース部材の背面側に配置されたマイナスイオン発生ユニットを示す背面側から見た斜視図である。
【符号の説明】
１  ：ベース部材
１５：脚
３  ：マイナスイオン発生ユニット
３１：電源回路
３２：制御回路
４  ：保護カバー
５  ：ファン
６  ：カバー
６１：吸気口
６２：吹出口
７  ：針状放電電極
９  ：天井
【図１】
2004309047.tif 000003
【図２】
2004309047.tif 000004
【図３】
2004309047.tif 000005